(57)【要約】【課題】農作業データの送受信完了後の無線通信にかかる負荷を低減することができるようにする。【解決手段】移動可能な農業機械２に搭載されて農作業を行った農作業データを記憶するデータ収集装置３と、データ収集装置３に記憶された農作業データを無線通信の接続によって受信する携帯端末４とを備え、携帯端末４は、データ収集装置３から送信された農作業データの受信完了後にデータ収集装置３との無線通信の接続を切断する第１通信切断部４４を備え、データ収集装置３は、農作業データの送信完了後に携帯端末４との無線通信の接続を切断する第２通信切断部３５を備えている。【選択図】図１
2014195136.tif 000002
【特許請求の範囲】
【請求項１】
移動可能な農業機械に搭載されて当該農作業を行った農作業データを記憶するデータ収集装置と、前記データ収集装置に記憶された農作業データを無線通信の接続によって受信する携帯端末とを備え、
前記携帯端末は、前記データ収集装置から送信された農作業データの受信完了後に当該データ収集装置との無線通信の接続を切断する第１通信切断部を備え、前記データ収集装置は、農作業データの送信完了後に当該携帯端末との無線通信の接続を切断する第２通信切断部を備えていることを特徴とする農作業データの通信システム。
【請求項２】
前記第２通信切断部は、前記第１通信切断部からの接続の切断が確認できない場合に無線通信の接続を切断することを特徴とする請求項１に記載の農作業データの通信システム。
【請求項３】
前記データ収集装置は、前記第１通信切断部又は前記第２通信切断部によって一の携帯端末との無線通信の接続の切断後に、一の携帯端末とは異なる他の携帯端末との無線通信の接続を開始することを特徴とする請求項１又は２に記載の農作業データの通信システム。
【請求項４】
前記第２通信切断部は、農作業データの送信開始後に当該農作業データを携帯端末に送信するのに必要な送信時間を超え、さらに、第１通信切断部からデータ収集装置への接続を切断するのに必要な切断時間を超えた場合に、前記第１通信切断部から接続の切断が確認できないとして、無線通信の切断を行うことを特徴とする請求項２に記載の農作業データの通信システム。
【発明の詳細な説明】
【技術分野】
【０００１】
本発明は、農業機械で農作業したとき農作業データを送信する農作業データの通信システムに関する。
【背景技術】
【０００２】
近年、圃場の作業計画の効率化や圃場で収穫した収穫物の品質等を高めるため、圃場で作業した作業情報を収集して活用することが望まれている。コンバインなどの農業機械を用いて農作業データを収集する技術として、例えば、特許文献１に示すものがある。
特許文献１では、作物収穫機に、作物の収穫に伴って作物の品質を計測する作物品質計測手段と、その作物品質計測手段にて計測された品質の計測情報を機外に出力可能な情報出力手段（無線通信装置）とが備えられ、情報出力手段から出力される複数の収穫場所の各々に対応する品質の計測情報を収集する計測情報収集手段と、この計測情報収集手段にて収集された収集情報に基づいて、複数の収穫場所に対応する作物の地域毎の品質マップを求めて出力する品質マップ作成手段とを備えている。
【先行技術文献】
【特許文献】
【０００３】
【特許文献１】特開平１１−０５３６７４号公報
【発明の概要】
【発明が解決しようとする課題】
【０００４】
特許文献１では、無線通信装置（情報出力手段）によって作物収穫機で計測した計測情報を通信機器に送信するものであるが、作物収穫機の無線通信装置から通信装置に向けて計測情報を送信する際での通信処理については詳細に述べられておらず、この技術を用いたとしても計測情報を適正に送信したり受信することができなくなるのが実情である。
そこで本発明は、上記問題に鑑み、農作業データの送受信完了後の無線通信にかかる負荷を低減することができる農作業データの通信システムを提供することを目的とする。
【課題を解決するための手段】
【０００５】
前記目的を達成するために、本発明は、次の手段を講じた。
即ち、請求項１に係る発明は、移動可能な農業機械に搭載されて当該農作業を行った農作業データを記憶するデータ収集装置と、前記データ収集装置に記憶された農作業データを無線通信の接続によって受信する携帯端末とを備え、前記携帯端末は、前記データ収集装置から送信された農作業データの受信完了後に当該データ収集装置との無線通信の接続を切断する第１通信切断部を備え、前記データ収集装置は、農作業データの送信完了後に当該携帯端末との無線通信の接続を切断する第２通信切断部を備えていることを特徴とする。
【０００６】
請求項２に係る発明は、前記第２通信切断部は、前記第１通信切断部からの接続の切断が確認できない場合に無線通信の接続を切断することを特徴とする。
請求項３に係る発明は、前記データ収集装置は、前記第１通信切断部又は前記第２通信切断部によって一の携帯端末との無線通信の接続の切断後に、一の携帯端末とは異なる他の携帯端末との無線通信の接続を開始することを特徴とする。
【０００７】
請求項４に係る発明は、前記第２通信切断部は、農作業データの送信開始後に当該農作業データを携帯端末に送信するのに必要な送信時間を超え、さらに、第１通信切断部からデータ収集装置への接続を切断するのに必要な切断時間を超えた場合に、前記第１通信切断部から接続の切断が確認できないとして、無線通信の切断を行うことを特徴とする。
【発明の効果】
【０００８】
請求項１に係る発明によれば、携帯端末側から無線通信の接続の切断が行えると共に、、データ収集装置側も無線通信の接続の切断が行うことができるため、農作業データの送受信完了後の無線通信にかかる負荷を低減することができる。
請求項２に係る発明によれば、携帯端末が無線通信の接続の切断を行ったことをデータ収集装置側で確認しなくとも、当該データ収集装置は素早く他の処理に移行することがで
きる。例えば、無線通信中に携帯端末を所持している作業者が農作業のために、データ収集装置との無線通信を行う通信エリア外に出てしまった状況下でも、データ収集装置は当該無線通信を中止して他の処理に移行することができる。
【０００９】
請求項３に係る発明によれば、データ収集装置は、一の携帯端末への農作業データの送信後、他の携帯端末へ同一の農作業データを送信することができる。
請求項４に係る発明によれば、データ収集装置は、農作業データを携帯端末に送信してから無線通信の接続を切断するまでの時間をできるだけ短くすることができ、当該データ収集装置は素早く他の処理に移行することができる。
【図面の簡単な説明】
【００１０】
【図１】農作業データの通信システムの全体図である。
【図２】データ収集装置から携帯端末への農作業データの送信の手順図である。
【図３】データ収集装置と携帯端末との位置関係が変化した場合の説明図である。
【図４】経過時間、送信時間及び切断の関係を説明する説明図である。
【図５】複数の農作業データを整理する説明図である。
【図６】複数の携帯端末で農作業データを受信するときのタイミングを示す図である。
【図７】トラクタの全体構成を示す概略図である。
【発明を実施するための形態】
【００１１】
以下に、図面を参照しながら、本発明の実施形態による農作業データの通信システムを説明する。
上述したように、農作業の実績（実際に農作業を行った内容）収集し、収集した農作業の実績を用いて、例えば、農作業の作業日報を作成したり、農作業の作業計画を作成するなどに役立てたいという要望がある。そこで、本発明では、農業機械側で行った農作業を農作業データとして農業機械側に保存（記憶）し、農業機械側で保存した農作業データを効率よく外部に送信することとしている。
【００１２】
具体的には、図１に示すように、農作業データの通信システム１は、トラクタ、コンバイン、田植機などの農業機械２に搭載されて当該農業機械２で農作業を行ったときの農作業データを収集するデータ収集装置３と、データ収集装置３で収集した農作業データを送信する携帯端末４とを備えている。なお、農作業データは、農業機械で農作業を行った時の様々な情報であって、例えば、農業機械の負荷情報（速度、エンジン回転数）、施肥量、収穫量どである。
【００１３】
農作業データの通信システム１について、トラクタを例にとり、詳しく説明する。
図７に示すように、トラクタ２は、前後に車輪が取り付けられた走行車両（走行車体）１０に、エンジン１１、変速装置１２等を搭載して構成されている。エンジン１１の後方には、独立搭載型のキャビン１３が設けられており、キャビン１３内には運転席１４が設けられている。また、走行車両２の後部には、３点リンク機構１５が昇降可能に設けられると共に、エンジン１１からの動力を伝達するＰＴＯ軸が設けられている。３点リンク機構１５には、肥料散布装置、耕耘装置、農薬散布装置、播種散布装置、収穫装置などの作業装置１６が着脱自在となっている。なお、図７は、肥料散布装置を３点リンク機構１５に取り付けた例を示している。
【００１４】
トラクタ２には、データ収集装置３の他に、制御装置２０が搭載されている。この制御装置２０は、トラクタ２の走行系制御や作業系制御等を行うものであって、走行系制御として、エンジンの動作を制御したり、作業系制御として、運転席の周囲に設けられた操作レバーや操作スイッチなどの操作具からの入力を受けると、入力値に従って３点リンク機構１５の昇降、ＰＴＯ軸の出力（回転数）などの動作を制御する。トラクタ２の走行系制御や作業系制御を行うときの制御信号や制御を行うための各種検出信号（例えば、センサが検出した信号）は、車両用通信ネットワークに出力されて、トラクタ２の各部に伝達される。なお、制御装置２０による走行系制御や作業系制御は、上述したものに限定されない。
【００１５】
データ収集装置３は、トラクタ２が動作しているときの農作業に関する様々なデータを
各種センサや制御装置２０等が接続された車両用ネットワーク等を介して自動的に収集するものである。例えば、トラクタ２の後部に作業装置１６として耕耘装置が連結されてトラクタ２が動作したときは、ロータリーの回転数、ロータリーの負荷、エンジン回転数、車速、耕深などのデータが車両用通信ネットワークに出力される。データ収集装置３は、ロータリーの回転数、ロータリーの負荷、エンジン回転数、車速、耕深などのデータを農作業データとして取得する。
【００１６】
また、作業装置１６が肥料散布装置、農薬散布装置、播種散布装置である場合は、車速、エンジン回転数、散布量（肥料散布量、農薬散布量、播種散布量）などのデータが車両通信ネットワーク上に出力され、データ収集装置３は、車速、エンジン回転数、肥料散布量、農薬散布量、播種散布量を農作業データとして取得する。或いは、作業装置１６が収穫装置である場合は、車速、エンジン回転数、収穫量などのデータが車両通信ネットワーク上に出力され、データ収集装置３は、車速、エンジン回転数、収穫量を農作業データとして取得する。
【００１７】
このようなデータ収集装置３は、上述したような農作業に関係する様々な農作業データを一時的に記憶する第１記憶部（バッファ）３０を備えている。トラクタ２が作動する度に第１記憶部３０には、農作業データが逐次、蓄積されていくことになる。なお、データ収集装置３には、トラクタ２を識別（特定）するための機械特定情報が記憶されると共に、トラクタ２が作動したときの作動時間なども記憶されている。
【００１８】
また、データ収集装置３は、第１記憶部３０に記憶した農作業データを携帯端末４に送信する第１通信部３１を備えている。第１通信部３１は、近距離の無線を行うものであって、例えば、通信規格であるＩＥＥＥ８０２．１１シリーズのＷｉ-Ｆｉ（Wireless Fidelity、登録商標）によって携帯端末４との無線通信を行うものである。第１通信部３１には、携帯端末４との認証の許可を行うための認証情報（例えば、自己のＭＡＣアドレス、ネットワーク名（ＳＳＩＤ）、ネットワークキー）が記憶されている。
【００１９】
携帯端末４は、例えば、比較的演算能力の高いスマートフォン（多機能携帯電話）やタブレットＰＣ等の携帯型コンピュータなどである。携帯端末４は、データ収集装置３からの様々なデータ（農作業データ等）を受信する第２通信部４０を備えている。第２通信部４０は、第１通信部３１と同様に近距離の無線を行うものであって、例えば、通信規格であるＩＥＥＥ８０２．１１シリーズのＷｉ-Ｆｉ（登録商標）によってデータ収集装置３との無線通信を行うものである。なお、携帯端末４は、移動体通信網（例えば、携帯電話通信網）を介して、農作業データを管理するサーバや農家に設置したパーソナルコンピュータなどに農作業データを送信する第３通信部４１を備えていることが望ましい。
【００２０】
携帯端末４は、データ収集装置３から送信された農作業データを記憶する第２記憶部４２を備えている。第２記憶部４２の記憶容量は、即ち、農作業データを記憶する記憶容量は、データ収集装置３の第１記憶部３０の記憶容量以上となっている。例えば、第２記憶部４２の記憶容量（農作業データを記憶する記憶容量）は、データ収集装置３の第１記憶部３０の記憶容量（農作業データを記憶する記憶容量）の少なくとも２倍以上、好ましくは、１０倍以上、さらに好ましくは、２５０倍以上であることが好ましい。
【００２１】
さて、図２は、データ収集装置から携帯端末への農作業データの送信手順を示したものである。
まず、携帯端末４が所定のデータ収集装置３と無線通信が行えるように、無線通信を行うデータ収集装置３の認証情報（ＳＳＩＤやネットワークキー）を所定の携帯端末４に記憶する（Ｓ１）。具体的には、携帯端末４に備えられたタッチパネル等のインタフェースを用いて、無線通信を行うデータ収集装置３、即ち、接続対象であるデータ収集装置３のＳＳＩＤ及びネットワークキーの入力（登録）をする。入力（登録）したＳＳＩＤやネットワークキーは、携帯端末４の記憶部に記憶される。
【００２２】
次に、データ収集装置３から認証情報を含むビーコンを送信している状況下にて（Ｓ２）、携帯端末４が接続対象となるデータ収集装置３の通信エリア内に入ることにより当該携帯端末４がデータ収集装置３から発信されるビーコンを受信すると（Ｓ３）、携帯端末４はデータ収集装置３に認証情報（ネットワークキー）を送信する（Ｓ４）。なお、認証
情報を携帯端末４に登録後は、携帯端末４が接続対象となるデータ収集装置３のビーコンを受信する毎に登録した認証情報（ネットワークキー）を自動的にデータ収集装置３に送信することが望ましい。
【００２３】
データ収集装置３は、携帯端末４から送信されたネットワークキーを受信すると、当該データ収集装置３に記憶されているネットワークキーとの認証を行う（Ｓ５）。ネットワークによる認証が成立し、データ収集装置３と携帯端末４との接続を確立すると、データ収集装置３は、携帯端末４に農作業データを送信する（Ｓ６）。なお、データ収集装置３は、農作業データを送信する際には、トラクタ２（農業機械）を識別（特定）する機械特定情報やトラクタ２（農業機械）が作動した作動時間なども農作業データの１つとして携帯端末４に送信する。このようにすれば、トラクタ１毎に農作業データを整理することが可能となる。
【００２４】
以上のように、データ収集装置３と携帯端末４とが無線通信によって接続されている状況下（認証許可の状況）において、データ収集装置３側では、第１通信部３１によって第１記憶部３０に記憶された農作業データを携帯端末４に向けて送信することができる。一方、携帯端末４側では、第２通信部４０によって農作業データを受信して第２記憶部４２に記憶することができる。
【００２５】
携帯端末４及びデータ収集装置３は、無線通信の接続を自動的に切断する手段を備えている。
次に、無線通信の接続を切断する手段について詳しく説明する。
携帯端末４は、プログラム等から構成された第１通信切断部４４を備えている。この第１通信切断部４４は、データ収集装置３から送信された農作業データの受信完了後に、通信を行っていたデータ収集装置３との無線通信の接続（アクセス）を切断するものである。
【００２６】
具体的には、データ収集装置３側では、当該データ収集装置３から携帯端末４へ１回のアクセスで送信することができる農作業データの送信容量を、データ収集装置３の第１記憶部３０に記憶することができる農作業データの容量として設定しておく。また、携帯端末４側では、１回のアクセスで送信される農作業データの送信容量を設定しておく。そのうえで、データ収集装置３と携帯端末４との無線通信による接続を行い、携帯端末４が予め設定された送信容量（１ＭＢ）の農作業データを受信した時点で、第１通信切断部４４は、農作業データの受信完了と判断し、データ収集装置３との無線通信の接続を停止する（無線通信の切断処理を行う）。
【００２７】
或いは、データ収集装置３から携帯端末４へ農作業データを送信するにあたって、送信する農作業データの最後のフレームに農作業データの末尾を示す末尾フラグを付加しておき、携帯端末４の第１通信切断部４４は、末尾フラグを受信したときに、農作業データの受信完了と判断し、データ収集装置３との無線通信の接続を停止する。なお、農作業データを送信するフレームの最後に付加されたチェックサムを末尾フラグとして用いてもよい。
【００２８】
また、第１通信部３１及び第２通信部４０の通信速度に基づいて、第１記憶部３０に記憶された農作業データの全てを携帯端末４側で受信するに必要な受信時間（データ収集装置３側から言うと農作業データを携帯端末４に送信するのに必要な送信時間）を予め携帯端末４に設定しておく。そのうえで、携帯端末４が最初に農作業データを受信してから（農作業データのヘッダを検知してから）の経過時間が受信時間に到達した時点で、第１通信切断部４４は、農作業データの受信完了と判断し、データ収集装置３との無線通信の接続を停止してもよい。
【００２９】
上述したいずれの場合でも、第１通信切断部４４は、データ収集装置３との無線通信の接続を停止する際には、接続を切断（停止）する信号（切断信号という）をデータ収集装置３へ向けて送信する処理を行う。
一方、データ収集装置３は、プログラム等から構成された第２通信切断部３５を備えている。第２通信切断部３５は、農作業データの送信完了後、携帯端末４との無線通信の接続を切断するものである。
【００３０】
具体的には、データ収集装置３の第１通信部３１が、予め設定された送信容量の農作業データを送信したとき、第２通信切断部３５は農作業データの送信完了と判断する。そして、第２通信切断部３５は、農作業データの送信完了後であって、携帯端末４の第１通信切断部４４からの接続の切断が確認できない場合（状況）のときに、無線通信の接続を切断する。
【００３１】
例えば、図３（ａ）に示すように、データ収集装置３と携帯端末４とが無線通信を行うことができる通信エリアＭ内にあるときに、データ収集装置３から農作業データを携帯端末４に送信すると、携帯端末４は農作業データを受信することができる。一方、データ収集装置３は、携帯端末４の第１通信切断部４４から送信された切断信号を受信することができる。
【００３２】
しかしながら、図３（ｂ）に示すように、データ収集装置３と携帯端末４とが無線通信中に、トラクタ２（データ収集装置３）及び／又は携帯端末４が移動し、通信エリアＭ外になった場合、データ収集装置３は、携帯端末４の第１通信切断部４４から送信された切断信号を受信することができない。即ち、携帯端末４からの切断信号が受信できない（第１通信切断部４４からの接続の切断が確認できない場合）は、データ収集装置３の第２通信切断部３５は、携帯端末４との無線通信の接続を自動的に切断する。
【００３３】
データ収集装置３における農作業データの送信完了後、所定時間経過しても携帯端末４からの切断信号が受信できない場合、第２通信切断部３５は、携帯端末４との無線通信の接続の切断を行う。例えば、図４に示すように、データ収集装置３が携帯端末４へ農作業データの送信開始後から切断信号を受信するまでの経過時間Ｔが、農作業データを携帯端末４に送信するのに必要な送信時間Ｔ１を超え、さらに、第１通信切断部４４からデータ収集装置３への接続を切断するのに必要な切断時間（切断信号を携帯端末４からデータ収集装置３へ送信するのに必要な時間）Ｔ２を超えた場合に、第２通信切断部３５は、第１通信切断部４４から接続の切断が確認できないとして、無線通信の切断を行う。
【００３４】
さらに詳しくは、この実施形態では、データ収集装置３から携帯端末４へ送信する送信容量を１２８ｋＢ、データ収集装置３と携帯端末４との間のデータ転送速度（実効速度）を１０Ｍｂｓ、データ収集装置３及び携帯端末４で行う通信処理時間を１０秒として、データ収集装置３が携帯端末４へ農作業データの送信開始後から切断信号を受信するまでの経過時間（送信時間＋切断時間）を２０秒とし、２０秒を超えたときうに、データ収集装置３の第２通信切断部３５は、携帯端末４との無線通信の接続の切断を行う。
【００３５】
以上のように、携帯端末４側から無線通信の接続の切断が実行でき、データ収集装置３側からも無線通信の接続の切断が実行することができるため、農作業データを送受信する場合における携帯端末４側やデータ収集装置３側の通信処理がスムーズに進み、通信処理やそれ以外の処理を素早く行うことができる。また、トラクタ２（データ収集装置３）と作業者（携帯端末４）との位置関係が農作業の影響によって様々な形態に変化したとしても、農作業データを携帯端末４に送信することができる。
【００３６】
図３は、農作業によって、トラクタ（データ収集装置）と作業者（携帯端末）との位置関係が変化した場合を示している。
図３（ａ）に示すように、農作業の開始時には、１台のトラクタ２ａと２人の作業者Ａ、Ｂで作業を行っているとする。トラクタ２ａに搭載した１つのデータ収集装置３ａの通信エリア内Ｍには、作業者Ａさんが所持している携帯端末４ａ（一の携帯端末ということがある）と、作業者Ｂさんが所持している携帯端末４ｂ（他の携帯端末ということがある）とが入っている場合、データ収集装置３ａから作業者Ａさんが所持している携帯端末４ａへ農作業データを送信することができる。
【００３７】
携帯端末４ａへの農作業データの送信完了時には、データ収集装置３ａ側は、携帯端末４ａから切断信号を受信できるため、当該データ収集装置３ａは、切断信号の受信後（切断の確認後）に、一の携帯端末４ａとは異なる他の携帯端末４ｂ（作業者Ｂさんが所持している携帯端末４ｂ）との無線通信による農作業データの送信処理を実行することができる。一方、一の携帯端末４ａも、データ収集装置３ａとの無線通信の切断を実行すると、別の場所にあるデータ収集装置３ｂと一の携帯端末４ａとの無線通信が行える。
【００３８】
さて、図３（ｂ）に示すように、データ収集装置３ａが携帯端末４ｂに農作業データを送信中に作業者Ｂが農作業のために移動し、携帯端末４ｂがデータ収集装置３ａの通信エリアＭから外れる場合がある。このような場合、データ収集装置３ａは、携帯端末４ｂから切断信号を受信できないが、当該データ収集装置３ａの第２通信切断部３５によってデータ収集装置３ａ側から無線通信の接続の切断することができるため、データ収集装置３ａは、携帯端末４ｂとの通信を中止して、通信エリアＭ内にある他の携帯端末４と無線通信を行うことが可能となる。
【００３９】
例えば、データ収集装置３ａは、第２通信切断部３５によって携帯端末４ｂとの無線通信を切断後、図３（ｃ）に示すように、作業者Ｂとは他の作業者Ｃがデータ収集装置３ａの通信エリアＭ内に入った場合、他の携帯端末４ｃから送信されたネットワークキーを受け入れ（受信）し、他の携帯端末４ｃとの無線通信の接続を開始する。そして、データ収集装置３ａと他の携帯端末４ｃとの認証が成立すると、当該データ収集装置３ａは、第１記憶部３０に記憶している農作業データを他の携帯端末４ｃに送信することができる。
【００４０】
なお、上述したように、携帯端末４に保存した農作業データを当該携帯端末４に格納したアプリ等を用いて整理してもよいが、上述したように、農作業データを一括管理するサーバや農家に設置したパーソナルコンピュータに送信してもよい。複数の携帯端末４からサーバやパーソナルコンピュータに、農作業データを送信するようにした場合には、サーバ５側で重複した農作業データ（同一の農作業データ）を１つにまとめるデータ整理部を備えていることが望ましい。例えば、図５に示すように、３名の作業者Ｃ、Ｄ、Ｅのそれぞれが所有する携帯端末４ｃ、４ｄ、４ｅから農作業データＸ１、Ｘ２、Ｘ３がサーバ５に送信されたとする。サーバ５のデータ整理部は、３つの農作業データＸ１、Ｘ２、Ｘ３を受信すると、各農作業データＸ１、Ｘ２、Ｘ３のうち、同一の農作業データであるＸ１、Ｘ３を１つの農作業データにまとめる。異なる農作業データＸ２は、そのまま保存する。同一の農作業データであるか否かの判断は、各農作業データ内の機械特定情報や農作業データ内の作業時間によって行ったり、予め農作業データ群に付されたデータ識別情報により行うことが望ましい。例えば、複数の農作業データのうち、機械特定情報が同じで且つ作業時間が同じである場合は、その農作業データは同一であると判断することができ、データ識別情報が一致する場合も同一の農作業データであると判断することができる。
【００４１】
以上のように、農作業データの通信システム１では、農業機械（トラクタ）２の周辺で協力しながら農作業を進める複数の作業者の携帯端末４に対して、農作業を行った農作業データを送信し、各携帯端末４に保存することができる。農作業データの送受信を、データ収集装置３と携帯端末４との間で行っている場合において、データ収集装置３側と携帯端末４側とがそれぞれ独立して、無線通信の接続の切断を行うことができるため、実質的に、農作業データの送受信が完了している状況下でのデータ収集装置３と携帯端末４との無駄な無線通信を出来るだけ少なくし、両者の無線通信にかかる負荷を低減することが可能となる。また、携帯端末４が無線通信の接続の切断を行ったことをデータ収集装置３側で確認してから無線通信の切断を行うことが好ましいが、上述したように、データ送信中に携帯端末４を所持する作業者が農作業のために移動してしまった場合でも、無線通信をデータ収集装置３側から切断することができ、当該データ収集装置３は素早く他の処理に移行することが可能となる。例えば、データ収集装置３は、無線通信を行っていた携帯端末４での無線通信を素早く取りやめ、通信エリアＭ内にある他の携帯端末４に農作業データを素早く送信することができる。
【００４２】
なお、複数の携帯端末４を用いて同一のデータ収集装置３から農作業データを受信する場合には、携帯端末４のそれぞれが農作業データを受信する間隔を変えていることが望ましい。
図６を用いて、複数の携帯端末４が農作業データを受信するタイミングについて説明する。図６の「ＯＮ」は携帯端末４とデータ収集装置３とが無線通信を行って農作業データ等を送受信していることを示し、「ＯＦＦ」は携帯端末４とデータ収集装置３とが無線通信は行われず（切断処理がなされている）、農作業データ等の送受信は行っていないことを示している。
【００４３】
図６に示すように、例えば、４台の携帯端末（４ａ、４ｂ、４ｃ、４ｄ）があったとする。各携帯端末４は、データ収集装置３との無線通信を切断してから次にデータ収集装置３との無線通信を開始するまでの時間（切断通信時間）を、他の携帯端末４とは異なるようにしている。
詳しくは、図６に示すように、携帯端末４ａの切断通信時間Ｒ１は、他の携帯端末４ｂ、４ｃ、４ｄの切断通信時間Ｒ２，Ｒ３，Ｒ４と異なっている。また、携帯端末４ｂの切断通信時間Ｒ１，Ｒ３，Ｒ４と異なっている。同様に、携帯端末４ｃ、４ｄも他の携帯端末４とは切断通信時間が異なっている。各携帯端末４の切断通信時間をそれぞれ異ならせるために、携帯端末４は、データ収集装置３に農作業データを要求する間隔（切断通信時間）を乱数（ランダム）にしている。この切断通信時間は、数分、或いは、数十分（例えば、１０分〜１５分）にしている。このようにすれば、複数の携帯端末４がデータ収集装置３から農作業データ等を受信する場合であっても、携帯端末４とデータ収集装置３との無線通信をスムーズに行うことができる。データ収集装置３側から見れば、切断処理後に次の携帯端末４に農作業データ等をスムーズに送信することができる。
【００４４】
なお、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。上述した実施形態では、農業機械の一例としてトラクタを例にあげ説明したが、コンバインであってもよい。コンバインには、収穫した穀物のタンパク質を検出するセンサや収穫量を検出する計量器等が設けられており、コンバインに適用した場合には、収穫量、タンパク質などを農作業データとして取得することができ、圃場毎の収穫量やタンパク質などを整理することが可能となる。或いは、トラクタやコンバインだけでなく、農業機械は、田植機であってもよい。
【００４５】
携帯端末４から農作業データを管理するサーバや農家に設置したパーソナルコンピュータに農作業データを送信するにあたっては、携帯端末４を識別するための識別情報（例えば、携帯端末４の電話番号、携帯端末４の製造番号、携帯端末４のＭＡＣアドレス等）を、農作業データと共に送信してもよい。このようにすれば、農作業データと携帯端末４を所有（所持）する作業者との関連付けを行うことができ、農作業を行った作業者が誰であるか把握することが可能である。
【００４６】
また、携帯端末４側に、測位衛星（例えば、ＧＰＳ）からの信号に基づいて位置を求める位置検出装置を設け、位置検出装置で検出した位置と農作業データとを携帯端末４に保存するようにしてもよい。作業者が携帯端末４を持参して農業機械２に乗車したときは、携帯端末４の位置が農業機械２の位置になり、乗車していないときは作業者が農作業を行ったときの位置となる。そのため、農作業時の農業機械２の位置や作業者の位置を把握することができる。また、携帯端末４に圃場を示す地図（圃場マップ）を記憶させておけば、農業機械２の軌跡とを照らし合わせることにより、、農業機械２で行った農作業の圃場を特定することが可能となる。このようにすれば、圃場毎に農作業の記録を付けるのに便利である。なお、農業機械２に位置検出装置を設けて、位置検出装置で検出した農業機械の位置を農作業データとして、データ収集装置３から携帯端末４に送信するようにしてもよい。
【符号の説明】
【００４７】
１  農作業データの通信システム
２  農業機械
３  データ収集装置
４  携帯端末
５  サーバ
１０  走行車体
１１  エンジン
１２  変速装置
１３  キャビン
１４  運転席
１５  ３点リンク機構
１６  作業装置
２０  制御装置
３０  第１記憶部
３１  第１通信部
３５  第２通信切断部
４０  第２通信部
４１  第３通信部
４２  第２記憶部
４４  第１通信切断部
【図１】
2014195136.tif 000003
【図２】
2014195136.tif 000004
【図３】
2014195136.tif 000005
【図４】
2014195136.tif 000006
【図５】
2014195136.tif 000007
【図６】
2014195136.tif 000008
【図７】
2014195136.tif 000009